(57)【要約】【課題】ロックを検出する精度を向上できるロック検出装置を提供する。【解決手段】インバータ制御部は、インバータを制御して、電機子に対する第１回転位置で界磁を停止させるための第１磁界を、電機子に発生させる。位置検出部は、第１磁界が発生した状態での電動機の回転位置たる第１回転検出位置を検出する。ロック検出部は第１回転検出位置と第１回転位置との差が所定値よりも大きいことを以て、電動機にロックが生じたことを検出する。【選択図】図３
2016123142.tif 000002
【特許請求の範囲】
【請求項１】
電機子巻線(221)を有する電機子(21)、および、界磁(22)を有する電動機と、前記電動機を駆動するインバータ(1)とを備える電動機駆動装置において、前記電動機のロックを検出する装置(3)であって、
前記インバータ(1)を制御して、前記電機子に対する第１回転位置で前記界磁を停止させるための第１磁界を、前記電機子に発生させるインバータ制御部(31)と、
前記第１磁界が発生した状態での前記電動機の回転位置たる第１回転検出位置を検出する位置検出部(32)と、
前記第１回転検出位置と前記第１回転位置との差が所定値よりも大きいことを以て、前記電動機にロックが生じたことを検出するロック検出部(33)と
を備える、ロック検出装置。
【請求項２】
前記第１磁界は、前記電動機(2)を回転させない高調波成分を含み、
前記インバータ制御部(31)は前記インバータ(1)が出力する電圧及び電流のいずれか一方を制御して前記電機子に前記第１磁界を発生させ、
前記位置検出部(32)は、前記インバータ(1)が出力する前記電圧及び前記電流の他方を検出し、前記他方のベクトルが描く楕円状の軌跡の傾きに基づいて、前記第１回転位置を検出する、請求項１に記載のロック検出装置。
【請求項３】
前記インバータ制御部(31)は、前記インバータ(1)を制御して、前記第１回転位置との差が前記所定値よりも大きい第２回転位置へ、前記界磁を位置させるための第２磁界を、前記電機子(22)に発生させ、
前記位置検出部(32)は、前記第２磁界を発生させた状態での前記電動機の回転位置たる第２回転検出位置を検出し、
前記第１回転検出位置と前記第１回転位置との差、および、前記第２回転検出位置と前記第２回転位置との差のいずれもが前記所定値よりも小さいときに、前記電動機にロックが生じていないことを検出する、請求項１または請求項２に記載のロック検出装置。
【発明の詳細な説明】
【技術分野】
【０００１】
本発明は、ロック検出装置に関し、特に、電動機に生じるロックを検出する装置に関する。
【背景技術】
【０００２】
従来から電動機のロックを検出する技術が提案されている。例えば電動機を駆動する電動機駆動装置を制御してロックを検出する方法が提案されている。より具体的には、電動機の第１回転位置を検出し、その第１回転位置から所定の角度で離れた停止位置で電動機を停止させるように、電動機駆動装置を制御する。その後、電動機の第２回転位置を検出し、電動機が適切に停止位置まで回転しているかどうかを判断することにより、ロックの有無を検出する。
【０００３】
また特許文献１には、電動機を駆動するインバータが記載されている。インバータは電動機へと交流電圧を出力している。特許文献１では、電動機の回転に寄与する基本波成分よりも十分に大きい高調波成分をインバータに出力させ、電動機に流れる電流に基づいて、電動機の回転位置を検出している。
【先行技術文献】
【特許文献】
【０００４】
【特許文献１】特開２０１１−１７２３２４号公報
【発明の概要】
【発明が解決しようとする課題】
【０００５】
しかしながら、インバータ１がこの交流電圧を出力していない状態でも、電動機は回転し得る。例えば電動機に外力が働くことにより、電動機が回転することがある。外力を起こさせる具体的な例としては、電動機によって駆動される圧縮機の低圧と高圧との差や、電動機によって駆動されるファンへの風の通過を挙げることができる。
【０００６】
このような外力が働いた状態で、例えば第１回転位置を検出すると、低い精度で第１回転位置を検出することになる。これにより、ロックを検出する精度が低下する。
【０００７】
そこで、本願は、ロックを検出する精度を向上できるロック検出装置を提供することを目的とする。
【課題を解決するための手段】
【０００８】
本発明にかかるロック検出装置の第１の態様は、電機子巻線(221)を有する電機子(21)、および、界磁(22)を有する電動機と、前記電動機を駆動するインバータ(1)とを備える電動機駆動装置において、前記電動機のロックを検出する装置(3)であって、前記インバータ(1)を制御して、前記電機子に対する第１回転位置で前記界磁を停止させるための第１磁界を、前記電機子に発生させるインバータ制御部(31)と、前記第１磁界が発生した状態での前記電動機の回転位置たる第１回転検出位置を検出する位置検出部(32)と、前記第１回転検出位置と前記第１回転位置との差が所定値よりも大きいことを以て、前記電動機にロックが生じたことを検出するロック検出部(33)とを備える。
【０００９】
本発明にかかるロック検出装置の第２の態様は、第１の態様にかかるロック検出装置であって、前記第１磁界は、前記電動機(2)を回転させない高調波成分を含み、前記インバータ制御部(31)は前記インバータ(1)が出力する電圧及び電流のいずれか一方を制御して前記電機子に前記第１磁界を発生させ、前記位置検出部(32)は、前記インバータ(1)が出力する前記電圧及び前記電流の他方を検出し、前記他方のベクトルが描く楕円状の軌跡の傾きに基づいて、前記第１回転位置を検出する。
【００１０】
本発明にかかるロック検出装置の第３の態様は、第１または請求項第２の態様にかかるロック検出装置であって、前記インバータ制御部(31)は、前記インバータ(1)を制御して、前記第１回転位置との差が前記所定値の２倍よりも大きい第２回転位置へ、前記界磁を位置させるための第２磁界を、前記電機子(22)に発生させ、前記位置検出部(32)は、前記第２磁界を発生させた状態での前記電動機の回転位置たる第２回転検出位置を検出し、前記第１回転検出位置と前記第１回転位置との差、および、前記第２回転検出位置と前記第２回転位置との差のいずれもが前記所定値よりも小さいときに、前記電動機にロックが生じていないことを検出すると判定する。
【発明の効果】
【００１１】
本発明にかかるロック検出装置の第１の態様によれば、高い精度でロックを検出できる。
【００１２】
本発明にかかるロック検出装置の第２の態様によれば、第１磁界を印加した状態の第１回転位置の検出を実現できる。
【００１３】
本発明にかかるロック検出装置の第３の態様によれば、ロックでないことを検出できる。
【図面の簡単な説明】
【００１４】
【図１】ロック検出装置の一例を概略的に示す図である。
【図２】インバータの構成の一例を概略的に示す図である。
【図３】ロック検出装置の動作の一例を示す図である。
【図４】電流ベクトルを概略的に示す図である。
【図５】電流ベクトルを概略的に示す図である。
【図６】電流の一例を概略的に示す図である。
【図７】電流ベクトルを概略的に示す図である。
【図８】電流ベクトルを概略的に示す図である。
【図９】電流ベクトルを概略的に示す図である。
【発明を実施するための形態】
【００１５】
図１は電動機２のロックを検出するロック検出装置３の一例を概略的に示している。図１の例示では、電動機２と、この電動機２へと交流電圧を出力するインバータ１とを有する電動機駆動装置も示されている。インバータ１には直流電圧が入力されており、このインバータ１は、入力された直流電圧を交流電圧に変換して電動機２へと出力する。
【００１６】
図２はインバータ１の内部構成の一例を概略的に示す図である。例えばインバータ１は三相のインバータであって、三相交流電圧を出力端Ｐｕ，Ｐｖ，Ｐｗから出力する。これらの出力端Ｐｕ，Ｐｖ，Ｐｗは電動機２に接続される。インバータ１は例えばスイッチング素子Ｓｕｐ，Ｓｕｎと，Ｓｖｐ，Ｓｖｎ，Ｓｗｐ，ＳｗｎとダイオードＤｕｐ，Ｄｕｎ，Ｄｖｐ，Ｄｖｎ，Ｄｗｐ，Ｄｗｎとを備えている。なお各構成を示す符号に含まれる「ｕ」、「ｖ」、「ｗ」は、その構成がそれぞれＵ相、Ｖ相、Ｗ相に属していることを示している。例えばスイッチング素子Ｓｕｐ，ＳｕｐとダイオードＤｕｐ，Ｄｕｎと出力端ＰｕはＵ相に属している。
【００１７】
スイッチング素子Ｓｘｐ，Ｓｘｎ（ｘはｕ，ｖ，ｒを代表する、以下、同様）は、直流電圧が印加される直流線ＬＨ，ＬＬの間において、互いに直列に接続されている。スイッチング素子Ｓｘｐは直流線ＬＨと出力端Ｐｘとの間に接続され、その導通／非導通によって直流線ＬＨから出力端Ｐｘへ向かって電流が流れることの許否を制御する。スイッチング素子Ｓｘｎは直流線ＬＬと出力端Ｐｘとの間に接続され、その導通／非導通によってから出力端Ｐｘから直流線ＬＬへ向かって電流が流れることの許否を制御する。ダイオードＤｘｐ，Ｄｘｎはそれぞれスイッチング素子Ｓｘｐ，Ｓｘｎに並列に接続されており、これらの順方向はいずれも直流線ＬＬから直流線ＬＨに向かう方向である。
【００１８】
スイッチング素子Ｓｘｐ，Ｓｘｎが適切に制御されることにより、インバータ１は直流電圧を交流電圧に変換して出力することができる。
【００１９】
図１を参照して、電動機２は例えば磁石埋込型の電動機であり、界磁２１と電機子２２とを有している。界磁２１は、例えばコア（図示省略）と、当該コアに埋設される永久磁石（図示省略）を有している。永久磁石は、電機子巻線２２１へと鎖交する界磁磁束を供給する。電機子２２は例えばＵ相、Ｖ相およびＷ相の電機子巻線２２１を有しており、これらは、それぞれ対応するインバータ１の出力端Ｐｕ，Ｐｕ，Ｐｗに接続される。インバータ１からの三相交流電圧が三相の電機子巻線２２１に印加されることにより、電機子２２は当該三相交流電圧に応じた回転磁界を界磁２１へと印加する。界磁２１は当該回転磁界に応じて電機子２２に対して回転する。
【００２０】
ロック検出装置３は、例えばインバータ制御部３１と、位置検出部３２と、ロック検出部３３とを備えている。
【００２１】
またここでは、ロック検出装置３はマイクロコンピュータと記憶装置を含んで構成される。マイクロコンピュータは、プログラムに記述された各処理ステップ（換言すれば手順）を実行する。上記記憶装置は、例えばＲＯＭ(Read Only Memory)、ＲＡＭ(Random Access Memory)、書き換え可能な不揮発性メモリ（ＥＰＲＯＭ(Erasable Programmable ROM)等）、ハードディスク装置などの各種記憶装置の１つ又は複数で構成可能である。当該記憶装置は、各種の情報やデータ等を格納し、またマイクロコンピュータが実行するプログラムを格納し、また、プログラムを実行するための作業領域を提供する。なお、マイクロコンピュータは、プログラムに記述された各処理ステップに対応する各種手段として機能するとも把握でき、あるいは、各処理ステップに対応する各種機能を実現するとも把握できる。また、ロック検出装置３はこれに限らず、ロック検出装置３によって実行される各種手順、あるいは実現される各種手段又は各種機能の一部又は全部をハードウェアで実現しても構わない。
【００２２】
図３はロック検出装置３の動作の一例を示すフローチャートである。この一連の動作は、インバータ１が電動機２を駆動していない状態、即ち、電動機２を回転させるための交流電圧を出力していない状態で、開始される。ただし、既述のように、インバータ１がこの交流電圧を出力していない状態でも、例えば電動機２に外力が発生することにより、電動機２が回転することがある。
【００２３】
ステップＳ１において、インバータ制御部３１は、インバータ１を制御して、界磁２１を所定の第１回転位置で停止させるための第１停止磁界を、電機子２２に発生させる。この第１停止磁界は、時間の経過に依らず実質的に一方向を向く磁界である。第１停止磁界は界磁２１に印加される。電動機２にロックが生じていなければ、第１停止磁界の印加によって、界磁２１の磁極中心が第１回転位置に略一致するまで界磁２１が回転し、その状態で停止する。一方で、電動機２にロックが生じていれば、第１停止磁界の印加にもかかわらず、界磁２１は回転しない。あるいは、第１停止磁界が印加される前の界磁２１の位置が、偶然に第１回転位置と一致している場合にも、界磁２１は回転しない。
【００２４】
このような第１停止磁界を発生させる制御は公知であるものの、その一例について概説する。まず各相のスイッチング素子Ｓｘｐ，Ｓｘｎは相互に排他的に導通するように制御される。これは、直流線ＬＨ，ＬＬが短絡することを回避するためである。スイッチング素子Ｓｘｐが導通／非導通することをそれぞれ「１」「０」で示し、各相を並べて表すと、例えば（０００）（００１）（０１０）（０１１）（１００）（１０１）（１１０）（１１１）の８つのスイッチングパターンを採用することができる。
【００２５】
以下では、（０００）および（１１１）で表されるスイッチングパターンを零スイッチングパターンと呼ぶ。この零スイッチングパターンでは、出力端Ｐｕ，Ｐｖ，Ｐｗが互いに短絡するので、インバータ１は電圧を出力することができない。よって第１停止磁界を印加させる制御においては、零スイッチングパターンを採用する必要はない。
【００２６】
一例として、スイッチングパターン（１１０）を一つ採用する場合を説明する。つまり、スイッチング素子Ｓｕｐ，Ｓｖｐを導通させ、スイッチング素子Ｓｗｎを導通させる。これにより、このスイッチングパターン（１１０）に対応する電流経路で、Ｕ相、Ｖ相、Ｗ相の電機子巻線２２１にそれぞれ電流Ｉｕ，Ｉｖ，Ｉｗが流れる。より具体的には、出力端Ｐｕ，ＰｖからそれぞれＵ相，Ｖ相の電機子巻線２２１へと電流Ｉｕ，Ｉｖが流れ、これらが合流して、Ｗ相の電機子巻線２２１を介して出力端Ｐｗへと電流Ｉｗが流れる。
【００２７】
かかる電流Ｉｕ，Ｉｖ，Ｉｗによって、各相の電機子巻線２２１には磁界が生じる。そして、これらの磁界を合成した磁界（以下、電機子磁界とも呼ぶ）が、電機子２２の全体に発生することとなる。各電機子巻線２２１に生じる磁界は、スイッチングパターンに対応した電流Ｉｕ，Ｉｖ，Ｉｗによって発生するので、電機子２２の電機子磁界の向きは、スイッチングパターンに依存することになる。
【００２８】
なお、ここでいう電機子磁界は、第１停止磁界および回転磁界を含む概念である。第１停止磁界は、この電機子磁界の方向が実質的に一方向を維持する磁界を意味し、上記回転磁界は、この電機子磁界が実質的に時間の経過と共に回転する磁界を意味する。
【００２９】
例えば、このスイッチングパターン（１１０）を一つ採用し続ければ、そのスイッチングパターン（１１０）によって決まる方向の電機子磁界（第１停止磁界）が発生し続けることになる。電動機２にロックが生じておらず、かつ、第１停止磁界が印加される前の界磁２１の磁極中心と第１回転位置とが偶然に一致する場合を除き、この第１停止磁界の印加により、界磁２１の磁極中心が第１回転位置と略一致するまで、界磁２１が回転する。
【００３０】
上述の例では、スイッチングパターンの一つを採用し続けたが、必ずしもこれに限らない。例えば所定周期において、複数のスイッチングパターンを所定の時比率でそれぞれ採用してもよい。つまり、所定周期における電機子磁界の時間平均で示される磁界の方向を一方向に維持するのである。例えばスイッチングパターン（１００），（１１０）をそれぞれ０．５の時比率で採用する場合、スイッチングパターン（１００），（１１０）に対応する電機子磁界の方向を二等分する方向に、平均的な電機子磁界を発生させることができ、その平均的な電機子磁界が第１停止磁界として機能する。
【００３１】
したがって、スイッチングパターンおよびその時比率を適宜に調整することで、任意の第１回転位置で界磁２１を停止させるための第１停止磁界を発生させることができる。
【００３２】
図４は、電流ベクトルＩを示す図である。電流ベクトルＩはインバータ１が出力する電流Ｉｕ，Ｉｖ，Ｉｗのベクトルの合成であり、その方向は電機子磁界を示すベクトルの方向と一致する。
【００３３】
図４の例示では、α−β座標系とｄ−ｑ座標系とも示されている。α−β座標系は固定子（例えば電機子２２）に固定された座標系である。α軸は例えばＵ相の電流Ｉｕによって発生するＵ相の磁束と同相に設定され、β軸はα軸に対して位相が９０度進む。ｄ−ｑ座標系は回転子（例えば界磁２１）に固定された座標系である。ｄ軸は界磁２１の界磁磁束と同相に設定され、ｑ軸はｄ軸に対して９０度位相が進む。電動機２が回転することによって、ｄ−ｑ座標系は界磁２１と同期して回転することとなる。本実施の形態ではｄ軸の回転位置を電動機２の回転位置として把握する。なおｄ軸は磁極中心を通るので、磁極中心を用いた上記説明は以下の説明と矛盾しない。
【００３４】
図４の電流ベクトルＩの方向は第１停止磁界を示すベクトルの方向と一致する。界磁２１に第１停止磁界が印加されることにより、電動機２にロックが生じておらず、かつ、第１停止磁界が印加される前の界磁２１の磁極中心と第１回転位置とが偶然に一致する場合を除き、界磁２１は第１停止磁界の方向に沿うように回転し、図５に示すように、ｄ軸は第１停止磁界（電流ベクトルＩの方向）の方向に沿うように回転する。つまり、この第１停止磁界の方向によって決定される第１回転位置で、界磁２１が停止する。なお、実際には、電動機２の負荷トルク等によって、ｄ軸と第１停止磁界の方向との間にはずれが生じ得る。
【００３５】
他方、電動機２にロックが生じていれば、或いは、第１停止磁界が印加される前の界磁２１の磁極中心と第１回転位置とが偶然に一致していれば、界磁２１は回転しないので、ｄ軸は例えば図４の状態を維持する。
【００３６】
インバータ制御部３１は、第１停止磁界を発生させる制御を開始したことを位置検出部３２へと通知する（図１参照）。
【００３７】
図３を参照して、ステップＳ２にて、当該通知を受けた位置検出部３２は、第１停止磁界を発生させた状態で、電動機２の回転位置たる第１回転検出位置を検出する。なおこの検出は、第１停止磁界を発生させる制御の開始から、所定時間が経過したときに行われる。この所定時間は、ロックが生じていない界磁２１が第１回転位置まで回転するのに十分な時間である。
【００３８】
第１停止磁界を発生させた状態では、たとえ電動機２に外力が生じても、界磁２１はほぼ回転せずに実質的に停止を維持する。よってステップＳ２によれば、電動機２を停止させた状態で検出を行うことができ、ひいては、第１回転検出位置の検出精度を向上することができる。つまり、外力の発生によって電動機２が回転すれば、その第１回転検出位置の検出精度が低下するものの、本実施の形態では、かかる事態の発生を回避あるいは抑制しているのである。
【００３９】
なお回転位置の検出方法は任意であるものの、その一例について説明する。ここでは、第１停止磁界に、回転位置検出用の高調波成分の磁界（以下、検出磁界とも呼ぶ）を重畳させる。この検出磁界は、回転磁界と同様に回転するものの、その回転速度は電動機２を回転させない程度に速い。言い換えると、この検出磁界の基となる電機子巻線２２１の磁界の大きさは、例えば三相の正弦波を呈しており、その周波数は、電動機２を回転させない程度に高い。
【００４０】
検出磁界は回転するので、時間平均（例えばその１回転における平均）を考慮すれば、実質的な方向を有さない。よって、検出磁界を第１停止磁界に重畳させた場合にも、電機子２２が発生する磁界の平均的な方向は、第１停止磁界の方向に略一致する。つまり、検出磁界は第１停止磁界の方向に実質的な影響を与えない。よって、かかる磁界が界磁２１に印加された場合にも、ロックが生じていない界磁２１は第１回転位置での停止を維持することになる。
【００４１】
この磁界（第１停止磁界と検出磁界とを含む磁界）を発生させるには、次で説明する電圧をインバータ１に出力させればよい。例えば検出磁界に対応した三相の交流電圧成分を、第１停止磁界に対応した三相の電圧成分へと重畳させた電圧を、インバータ１から出力させる。この三相の交流電圧成分は、電動機２を回転させない程度に高い周波数を有していればよい。また、第１停止磁界に対応した三相の電圧成分は、採用するスイッチングパターンに基づいて把握することができ、例えばスイッチングパターンの一つのみを採用する場合には、そのスイッチングパターンに対応する直流成分で表される。
【００４２】
かかる制御を行うべく、例えばインバータ１が出力する三相の交流電圧についての電圧指令値を導入する。この電圧指令値は、上記交流電圧成分と上記電圧成分とを重畳した電圧である。インバータ制御部３１は、この電圧指令値に基づいてスイッチング素子Ｓｘｐ，Ｓｘｎのスイッチング信号Ｓを生成し、これを出力する。このようなスイッチング信号Ｓの生成は周知であるものの、例えば電圧指令値と三角波との比較に基づいて行うことができる。
【００４３】
図６は、一つの出力端Ｐｘに流れる電流Ｉｘの一例を示している。ここではスイッチングパターンの一つのみを採用して、第１停止磁界を発生させることを想定する。よって図６の例示では、電流Ｉｘは、第１停止磁界に対応する電流としての直流成分を含んでいる。また電流Ｉｘは検出磁界に対応する交流成分も含んでいる。
【００４４】
なお図６の例示では、時点ｔ１よりも前には、電流Ｉｘは実質的に直流成分のみを有している。これは、時点ｔ１よりも前ではステップＳ１が実行されていることを意味し、時点ｔ１よりも後ではステップＳ２が実行されていることを示している。しかるにステップＳ１において、第１停止磁界と検出磁界をと含む磁界を発生させてもよい。これによっても当該磁界に含まれる第１停止磁界によって、ロックが生じていない界磁２１を停止させることができるからである。つまり、ステップＳ１，Ｓ２を同時に開始してもよい。
【００４５】
図７は、出力端Ｐｕ，Ｐｖ，Ｐｗに流れる電流の電流ベクトルの軌跡を示している。図７に示すように、当該軌跡は、α−β座標系の原点とは異なる点を中心とした楕円を形成する。以下では、この軌跡について、電流Ｉｕ，Ｉｖ，Ｉｗの直流成分によるベクトルと電流Ｉｕ，Ｉｖ，Ｉｗの交流成分によるベクトルとに大別して説明する。まず交流成分のベクトルのみを考慮すると、そのベクトルの軌跡は、周知のように、α−β座標系の原点を中心とした楕円を呈し、その長軸がｄ軸に平行になる（図８も参照）。一方、直流成分のベクトルＩ’（図７）は所定の大きさと所定の方向を時間によらず維持するベクトルである。よって、これらのベクトルを合成した電流Ｉｕ，Ｉｖ，Ｉｗの電流ベクトルの軌跡は、図８の軌跡をベクトルＩ’で平行移動して表されることになる。よって図７に示す通り、当該軌跡はベクトルＩ’で示される点を中心とした楕円を呈することになるのである。この場合であっても、楕円の長軸はｄ軸に平行である。
【００４６】
したがって、位置検出部３２は、電流ベクトルの楕円状の軌跡の傾斜に基づいて、回転位置を検出することができる。よって図１の例示では、電動機２を流れる交流電流を検出する電流検出部４が設けられている。検出された交流電流は位置検出部３２へと出力される。位置検出部３２は、検出された交流電流に基づいて、電流ベクトルを算出し、その電流ベクトルが描く楕円の傾斜（例えば長軸の方向）を算出する。これにより、特許文献１と同様に、界磁２１の回転位置を検出することができる。検出した回転位置はロック検出部３３へと出力される。
【００４７】
上述の検出方法によれば、第１停止磁界を発生させつつ、電動機２に流れる電流に基づいて回転位置を検出できる。また電流検出部４は、電動機２の通常の制御（回転運転のための制御）にも用いることができる。よって、電動機２の回転位置を検出するための別のセンサを設ける場合に比べて、製造コストを低減できる。
【００４８】
なお図７の例示では、ベクトルＩ’の方向（第１停止磁界の方向）がｄ軸（＝楕円の長軸の方向）と平行である。一方で図９の例示では、ベクトルＩ’の方向がｄ軸の方向と平行ではなく、交差している。つまり図９は、第１停止磁界が印加されているにも拘わらず、電動機２にロックが生じて界磁２１が第１回転位置まで回転していない場合を示している。要するに、ロックが生じていると、第１回転検出位置（ｄ軸の方向）が第１回転位置（ベクトルＩ’の方向）とずれるのである。
【００４９】
そこで、ステップＳ３において、ロック検出部３３は第１回転検出位置と第１回転位置との差が所定の所定値（例えば数度程度以内）よりも大きいか否かを判定する。そして肯定的な判定がなされると、ステップＳ４において、ロック検出部３３は、電動機２にロックが生じていることを検出する。
【００５０】
以上のように、本ロック検出装置３によれば、ステップＳ３の判定で用いられる第１回転検出位置を、ステップＳ２において第１停止磁界が印加された状態で、検出する。よって、この第１回転検出位置の検出精度を向上することができ、ステップＳ３の判定精度を向上することができる。ひいては、より高い精度でロックを検出することができる。
【００５１】
比較例として、第１停止磁界を印加しない状態で、第１回転検出位置を検出することを考える。この場合、第１停止磁界の消失により、電動機２への外力の発生に伴って界磁２１が回転することがある。かかる回転によって、第１回転検出位置と第１回転位置との差が大きくなり、ステップＳ３の判定において肯定的な判定がなされ得る。この場合、ステップＳ４においてロックを誤検出することになる。しかるに、本実施の形態では、このような事態を回避あるいはその発生頻度を抑制することができるのである。
【００５２】
また図３の例示では、ステップＳ３において否定的な判定がなされたときに、ステップＳ５以降の処理を実行して、ロックの有無を検出する。つまり図３の例示では、第１回転検出位置と第１回転位置との差が所定値よりも小さいからといって、これのみでは、ロックが生じていないとは判断しないのである。なぜなら、たまたま界磁２１が第１回転位置で停止した状態でロックが生じている場合には、ロックが生じているにも関わらず、ステップＳ３において否定的な判定がなされるからである。
【００５３】
ステップＳ３において否定的な判定がなされると、ロック検出部３３はその判定結果をインバータ制御部３１へと通知する。ステップＳ５において、当該通知を受けたインバータ制御部３１は、インバータ１を制御して、所定の第２回転位置で界磁２１を停止させるための第２停止磁界を、電機子２２に発生させる。第２回転位置は、第１回転位置との差が上記所定値よりも大きくなるように設定される。例えば当該差として９０度を採用することができる。
【００５４】
第２停止磁界を生じさせる制御は、第１停止磁界を生じさせる制御と同様であるので、繰り返しの説明を避ける。インバータ制御部３１は、第２停止磁界を発生させる制御を開始したことを位置検出部３２へと通知する。
【００５５】
ステップＳ６において、当該通知を受けた位置検出部３２は、第２停止磁界を生じさせた状態で、電動機２の回転位置たる第２回転検出位置を検出する。なおステップＳ２と同様に、この検出は、第２停止磁界を発生させる制御の開始から所定時間が経過したときに行われる。第２停止磁界が印加された状態で第２回転検出位置を検出するので、ステップＳ２と同様に、高い精度で第２回転検出位置を検出することができる。検出された第２回転検出位置はロック検出部３３へと出力される。
【００５６】
次にステップＳ７において、ロック検出部３３は、第２回転検出位置と第２回転位置との差が所定の所定値よりも大きいか否かを判定する。肯定的な判定がなされた場合には、ステップＳ８において、ロック検出部３３は、電動機２にロックが生じていることを検出する。
【００５７】
ステップＳ７にて否定的な判定がなされると、ステップＳ９において、ロック検出部３３は、電動機２にロックが生じていないことを検出する。つまり、第１回転検出位置と第１回転位置との差、および、第２回転検出位置と第２回転位置との差のいずれもが所定値よりも小さいときに、電動機２にロックが生じていないことを検出するのである。
【００５８】
しかも、ステップＳ７の判定で用いられる第２回転検出位置は、ステップＳ６にて第２停止磁界が生じた状態で検出される。よって第２回転検出位置の検出精度を向上でき、ステップＳ７の判定精度を向上できる。ひいてはロックの有無を検出する精度を向上することができる。
【００５９】
なお上述の具体例では、ステップＳ２，Ｓ６において、インバータ制御部３１は、インバータ１が出力する出力電圧を制御し、位置検出部３２は、検出された電流に基づいて回転位置を検出した。しかるに、制御対象と検出対象とが逆であってもよい。即ち、インバータ制御部３１は、インバータ１が出力する出力電流を制御し、インバータ１の出力電圧を検出する電圧検出部を設けて、位置検出部３２が当該電圧に基づいて回転位置を検出してもよい。この場合、出力電流には、回転位置検出用の交流成分と、停止磁界用の成分とを含める。この交流成分の周波数は電動機２を始動できない程度に高い。このとき検出された電圧のベクトルの軌跡は楕円を呈し、その長軸がｄ軸と対応することになる。
【００６０】
また、本発明は、その発明の範囲内において、相互に矛盾しない限り、上記の種々の実施の形態を適宜、変形、省略することが可能である。
【符号の説明】
【００６１】
１  インバータ
３  ロック検出装置
３１  インバータ制御部
３２  位置検出部
３３  ロック検出部
【図１】
2016123142.tif 000003
【図２】
2016123142.tif 000004
【図３】
2016123142.tif 000005
【図４】
2016123142.tif 000006
【図５】
2016123142.tif 000007
【図６】
2016123142.tif 000008
【図７】
2016123142.tif 000009
【図８】
2016123142.tif 000010
【図９】
2016123142.tif 000011